(57)【要約】【課題】営巣を確実に防止すること。【解決手段】球体と、一端が当該球体に固定された棒形状をなす軸体とを備えた可動部１１０と、可動部１１０における軸体の他端に連結され、球体から離間するほど径が小さくなる錐形状または半球形状の外形をなす滑落誘導部１２０と、可動部１１０における球体の外表面に複数方向から接触することにより球体を転動可能に支持する支持部１３０と、支持部１３０に連結され、雄ネジの螺合を受け付ける雌ネジを備えた取付部と、を備え、可動部１１０が、滑落誘導部１２０が連結された状態における質量中心を、球体における軸体の固定位置とは反対側に備えた営巣防止器１００を構成した。【選択図】図７
2019170162.tif 000002
【特許請求の範囲】
【請求項１】
球体と、一端が当該球体に固定された棒形状をなす軸体とを備えた可動部と、
前記可動部における前記軸体の他端に連結され、前記球体から離間するほど径が小さくなる錐形状または半球形状の外形をなす滑落誘導部と、
前記可動部における前記球体の外表面に複数方向から接触することにより前記球体を転動可能に支持する支持部と、
前記支持部に連結され、雄ネジの螺合を受け付ける雌ネジを備えた取付部と、
を備え、
前記可動部は、前記滑落誘導部が連結された状態における質量中心を、前記球体における前記軸体の固定位置とは反対側に備えることを特徴とする営巣防止器。
【請求項２】
前記滑落誘導部は、
前記径が大きい方から小さい方に凹む凹部を備え、当該凹部における最深部において前記軸体の先端と連結されていることを特徴とする請求項１に記載の営巣防止器。
【請求項３】
前記滑落誘導部は、所定硬度以上の硬度を示す材料を用いて形成されていることを特徴とする請求項１または２に記載の営巣防止器。
【請求項４】
前記滑落誘導部は、少なくとも外表面がマット状であることを特徴とする請求項１〜３のいずれか一つに記載の営巣防止器。
【請求項５】
前記滑落誘導部は、絶縁材料を用いて形成されていることを特徴とする請求項１〜４のいずれか一つに記載の営巣防止器。
【請求項６】
前記球体は、少なくとも外表面が、絶縁材料によって覆われていることを特徴とする請求項１〜５のいずれか一つに記載の営巣防止器。
【発明の詳細な説明】
【技術分野】
【０００１】
この発明は、野鳥類の営巣を防止する営巣防止器に関する。
【背景技術】
【０００２】
カラスやミサゴなどの野鳥類は、営巣時期になると、鉄塔の頂部、塔体内の四つ角、アームの先に取り付けられたプレートなどの電気設備に営巣をする。営巣によって作られた巣が、充電部付近や電気需要者の送電線にある場合、営巣材による電気事故が発生するおそれがある。
【０００３】
具体的に、営巣によって作られた巣は、金属製のハンガーや生木など、導電性を有する材料を含んでいることがあり、腕金や当該腕金が支持する電線、変圧器あるいは開閉器などにおける短絡事故を発生させる原因となりうる。このような電気事故を未然に防止するため、従来、たとえば、送配電用の設備に作られた巣を、発見次第、早急に撤去するようにしていた。
【０００４】
また、このような電気事故は、営巣を防止することによって未然に防止することができる。具体的には、従来、たとえば、アングル材に固定される固定金具と、固定金具に連結されたドーム状の部材とを備え、鉄塔を構成するアングル材どうしが重なる交点を当該ドーム状の部材によって覆うことにより、交点における営巣を防止するようにした営巣防止器に関する技術があった（たとえば、下記特許文献１を参照。）。
【０００５】
また、具体的には、従来、たとえば、外装部に収容された蛇模型を、風車機構の回転を利用して外装部から露出させたり引っ込ませたりすることにより鳥類の営巣を防止するようにした営巣防止装置に関する技術があった（たとえば、下記特許文献２を参照。）。また、具体的には、従来、たとえば、並行かつ多段状に設けられたディスク状の回転部材を備えた鳥類飛来防止具に関する技術があった（たとえば、下記特許文献３を参照。）。
【先行技術文献】
【特許文献】
【０００６】
【特許文献１】登録実用新案第３０３２００９号公報
【特許文献２】特開２０１７−６３７４７号公報
【特許文献３】特開２０１４−１９３０３４号公報
【発明の概要】
【発明が解決しようとする課題】
【０００７】
しかしながら、上述したように、発見次第、巣を撤去する従来の方法は、巣を撤去しても、同じ場所に再度営巣されることがあり、野鳥類による営巣と電気設備管理者による巣の撤去とのいたちごっことなって埒が明かず、同じ作業を何度もおこなわなくてはならず、非効率であるという問題があった。
【０００８】
また、街中の鉄塔は車両等を利用し現地の確認を行うことが容易だが、山奥の鉄塔における営巣の有無の確認を行う場合、車両等の利用は難しくヘリコプターを利用した上空からの巡視で設備の確認と併せて行うため、確認できる頻度が少なく、営巣された巣の発見が遅れてしまい、営巣された巣に起因する短絡事故などの電気事故が発生するおそれがあるという問題があった。
【０００９】
また、上述した特許文献１に記載された従来の技術は、ドーム状の部材によってアングル材の交点などを覆っても、固定金具とドーム状の部材とを連結する軸が完全に固定されているため、営巣の足場として利用することができる、野鳥類の忌避効果や営巣防止効果が低いという問題があった。
【００１０】
また、上述した特許文献２に記載された従来の技術は、蛇模型の動作にかかる動力を生成するために回転する風車をはじめとして可動部が多く、構成が複雑であることから、屋外での長期にわたる確実な動作に不安があった。また、営巣防止装置は、屋外に設置するため、蛇模型が出入りするための孔を介して外装部内に異物が入り込んで故障する懸念があった。
【００１１】
また、上述した特許文献３に記載された従来の技術は、屋外に設置する防巣対策具においては、各回転部材を回転させるための風受け部材に営巣材が引っ掛かるなどして回転部材の回転が停止することが十分に想定され、その場合、防巣対策具の上や周辺に営巣しやすい環境を作ってしまうことになり、長期にわたって営巣を確実に防止することが難しい。
【００１２】
この発明は、上述した従来技術による問題点を解消するため、営巣を確実に防止することができる営巣防止器を提供することを目的とする。
【課題を解決するための手段】
【００１３】
上述した課題を解決し、目的を達成するため、この発明にかかる営巣防止器は、球体と、一端が当該球体に固定された棒形状をなす軸体とを備えた可動部と、前記可動部における前記軸体の他端に連結され、前記球体から離間するほど径が小さくなる錐形状または半球形状の外形をなす滑落誘導部と、前記可動部における前記球体の外表面に複数方向から接触することにより前記球体を転動可能に支持する支持部と、前記支持部に連結され、雄ネジの螺合を受け付ける雌ネジを備えた取付部と、を備え、前記可動部が、前記滑落誘導部が連結された状態における質量中心を、前記球体における前記軸体の固定位置とは反対側に備えることを特徴とする。
【００１４】
また、この発明にかかる営巣防止器は、上記の発明において、前記滑落誘導部が、前記径が大きい方から小さい方に凹む凹部を備え、当該凹部における最深部において前記軸体の先端と連結されていることを特徴とする。
【００１５】
また、この発明にかかる営巣防止器は、上記の発明において、前記滑落誘導部が、所定硬度以上の硬度を示す材料を用いて形成されていることを特徴とする。
【００１６】
また、この発明にかかる営巣防止器は、上記の発明において、前記滑落誘導部が、少なくとも外表面がマット状であることを特徴とする。
【００１７】
また、この発明にかかる営巣防止器は、上記の発明において、前記滑落誘導部が、絶縁材料を用いて形成されていることを特徴とする。
【００１８】
また、この発明にかかる営巣防止器は、上記の発明において、前記球体が、少なくとも外表面が、絶縁材料によって覆われていることを特徴とする。
【発明の効果】
【００１９】
この発明にかかる営巣防止器によれば、営巣を確実に防止することができるという効果を奏する。
【図面の簡単な説明】
【００２０】
【図１】この発明にかかる実施の形態の営巣防止器の構成を示す説明図（その１）である。
【図２】この発明にかかる実施の形態の営巣防止器の構成を示す説明図（その２）である。
【図３】この発明にかかる実施の形態の営巣防止器の構成を示す説明図（その３）である。
【図４】営巣防止器の使用例を示す説明図（その１）である。
【図５】営巣防止器の使用例を示す説明図（その２）である。
【図６】営巣防止器による野鳥類の忌避の一例を示す説明図（その１）である。
【図７】営巣防止器による野鳥類の忌避の一例を示す説明図（その２）である。
【発明を実施するための形態】
【００２１】
以下に添付図面を参照して、この発明にかかる営巣防止器の好適な実施の形態を詳細に説明する。
【００２２】
まず、この発明にかかる実施の形態の営巣防止器の構成について説明する。図１、図２および図３は、この発明にかかる実施の形態の営巣防止器の構成を示す説明図である。図１においては、この発明にかかる実施の形態の営巣防止器の外観を示している。図２においては、この発明にかかる実施の形態の営巣防止器を、一部透過して示している。図３においては、この発明にかかる実施の形態の営巣防止器を分解した状態を示している。
【００２３】
図１、図２および図３に示すように、この発明にかかる実施の形態の営巣防止器１００は、可動部１１０と、滑落誘導部１２０と、支持部１３０と、取付部１４０と、を備えている。可動部１１０は、球体１１１と、軸体２１１と、を備えている。可動部１１０は、滑落誘導部１２０が連結された状態における質量中心が、球体１１１における軸体２１１の固定位置とは反対側に設けられている。
【００２４】
具体的には、球体１１１を、比重の重い材質によって形成することによって、滑落誘導部１２０が連結された状態における可動部１１０の質量中心を球体１１１における軸体２１１の固定位置とは反対側に設けることができる。より具体的には、可動部１１０は、たとえば、球体形状に成形された中空の部材の内部であって軸体２１１とは反対側に、鉄や鉛などの比重の高い錘を取り付けることによって構成することができる。
【００２５】
球体１１１は、たとえば、絶縁性を備え、摩擦力が低く硬い素材であるＦＲＰ（Ｆｉｂｅｒ−Ｒｅｉｎｆｏｒｃｅｄ  Ｐｌａｓｔｉｃｓ）や強化プラスチックを用いて形成することができる。あるいは、球体１１１は、たとえば、硬質ポリ塩化ビニル、高密度ポリエチレン、不飽和ポリエステル、エポキシ、シリコン、アクリルなど、摩擦力が低く硬い素材のプラスチックを用いて形成することができる。球体１１１の表面は、凹凸がなく、平滑であることが好ましい。また、球体１１１の表面には、滑りをよくするシリコン被膜などが設けられていてもよい。
【００２６】
軸体２１１は、棒形状をなし、長さ方向における一端が、球体１１１に固定されている。軸体２１１は、軽量であって、かつ、硬質であることが好ましい。具体的には、軸体２１１は、たとえば、アルミニウム製の円柱によって実現することができる。また、具体的には、軸体２１１は、たとえば、軽量であって、かつ、耐候性に優れたアクリルなどの高分子材料を用いて形成することができる。
【００２７】
球体１１１と軸体２１１とは、たとえば、球体１１１の表面から内側に凹む凹部の内周面に設けた雌ネジと、軸体２１１の一端に設けた雄ネジと、を螺合させることによって連結することができる。ネジの螺合によって球体１１１と軸体２１１とを連結することによって、球体１１１と軸体２１１とを簡易かつ強固に連結することができる。
【００２８】
滑落誘導部１２０は、可動部１１０における軸体２１１の他端に連結されている。滑落誘導部１２０は、球体１１１から離間するほど径が小さくなる錐形状の外形をなしている。具体的には、滑落誘導部１２０は、たとえば、円錐形状の外形をなすことが好ましい。滑落誘導部１２０は、角柱形状の外形をなすものであってもよい。また、滑落誘導部１２０は、錐形状に限らず、半球形状であってもよい。
【００２９】
滑落誘導部１２０は、外表面が平滑で、絶縁性を備え、所定硬度以上の硬度を示す材料を用いて形成されている。具体的には、滑落誘導部１２０は、たとえば、絶縁性を備え、摩擦力が低く硬い素材であるＦＲＰや強化プラスチックを用いて形成することができる。ＦＲＰや強化プラスチックは、ガラス繊維やナイロン・ビニロンなどを補強材として加えることにより強度を向上させているため、衝撃に強く、留まろうとした鳥類や営巣材と接触しても、滑落誘導部１２０が破損することを防止することができる。
【００３０】
また、滑落誘導部１２０は、たとえば、ポリエステルや、ポリエステルフォームのポリウレタン、硬質ゴムの一種であるエボナイトなどによって形成してもよい。あるいは、滑落誘導部１２０は、たとえば、ウレタンにシリカなどの添加剤を添加したウレタン（リアクティブウレタン）などによって形成してもよい。
【００３１】
滑落誘導部１２０は、外径が大きい方から小さい方に凹む凹部１２１を備えている。凹部１２１の深さは、可動部１１０における軸体２１１の長さと同等とすることができる。滑落誘導部１２０は、凹部１２１における最深部において軸体２１１の先端（他端）と連結されている。
【００３２】
具体的には、凹部１２１における最深部に、凹部１２１における最深部からさらに内側に凹む穴を設け、当該穴の内周面に雌ネジを設けるとともに、軸体２１１の先端（他端）に雄ネジを設け、これらの雌ネジと雄ネジとを螺合させることによって滑落誘導部１２０と軸体２１１とを連結することができる。これにより、軸体２１１を滑落誘導部１２０の凹部１２１の内側に収容することができる。
【００３３】
滑落誘導部１２０は、ポリエステルなどによって形成された扇形のシート状部材を円錐形状に丸めることによって形成してもよい。この場合、たとえば、円錐形状の先端側にボルトを取り付け、軸体２１１の先端（他端）に雌ネジを設け、これらのボルトと雌ネジとを螺合させることによって滑落誘導部１２０と軸体２１１とを連結することができる。
【００３４】
滑落誘導部１２０は、取付対象と同系色に着色されていることが好ましい。具体的には、たとえば、重防食塗装により灰色に塗装された鉄塔などの電気設備を取付対象とする場合、滑落誘導部１２０は、灰色に塗装あるいは着色されていることが好ましい。このように、滑落誘導部１２０の外観を取付対象と同系色の色とすることにより、営巣防止器１００を取り付けることによる外観上の違和感を抑え、景観を維持することができる。
【００３５】
また、滑落誘導部１２０は、少なくとも外表面がマット状、すなわち、光沢がない状態であることが好ましい。具体的には、たとえば、滑落誘導部１２０の外表面に微少な凹凸や傷を付けたり、粒径の大きい粒子を含む塗料を塗布したりすることによって、表面性を粗くする加工を施すことにより、滑落誘導部１２０の外表面をマット状にすることができる。
【００３６】
支持部１３０は、可動部１１０における球体１１１の外表面に接触する接触部材１３１を備えている。接触部材１３１は、球体１１１の直径と同等または若干大きい曲率で、球体１１１を囲むように湾曲した複数本の棒状部材によって実現することができる。これにより、球体１１１を任意の方向に回転可能に支持するとともに、球体１１１の並進方向における高い剛性を確保して球体１１１の脱落を防止することができる。
【００３７】
棒状部材において、球体１１１と接触する部分は、凹凸がなく、平滑であることが好ましい。また、棒状部材において、球体１１１と接触する部分には、滑りをよくするシリコン被膜などが設けられていてもよい。これにより、球体１１１に対して複数方向から接触させた接触部材１３１により、球体１１１をなめらかに転動可能に支持することができる。
【００３８】
接触部材１３１は、球体１１１に対して、最下点から鉛直方向上側に向かって外径が大きくなる位置、すなわち球体１１１の下側から接触するとともに、球体１１１の側方から接触する。さらに、接触部材１３１は、球体１１１に対して、最下点から鉛直方向上側に向かって大きくなる外径が最大になる位置より上方の位置、すなわち球体１１１の上側からも接触する。これにより、球体１１１が支持部１３０から浮き上がってしまうことを確実に防止することができる。
【００３９】
接触部材１３１は、若干の弾性を有する材料を用いて形成されていることが好ましい。これにより、営巣防止器１００の組み立てに際して、接触部材１３１を弾性変形させることができ、球体１１１を囲むように湾曲した複数の接触部材１３１の内側に球体１１１を取り付けることができる。具体的には、接触部材１３１は、たとえば、ＦＲＰや強化プラスチックなどを用いて形成することができる。
【００４０】
取付部１４０は、支持部１３０に連結されている。取付部１４０は、雄ネジの螺合を受け付ける雌ネジを備えている。これにより、取付対象である鉄塔を構成するアングル材などの鉄塔部材を間にして、雌ネジに雄ネジを螺合させることによって、容易かつ確実に、営巣防止器１００を鉄塔などの電気設備に取り付けることができる。
【００４１】
また、取付対象である鉄塔を構成するアングル材などの鉄塔部材に固定された雄ネジに、取付部１４０の雌ネジを螺合させることによって、容易かつ確実に、営巣防止器１００を鉄塔などの電気設備に取り付けることができる。
【００４２】
（営巣防止器１００の使用例）
つぎに、この発明にかかる実施の形態の営巣防止器１００の使用例について説明する。図４および図５は、営巣防止器１００の使用例を示す説明図である。図４および図５に示すように、営巣防止器１００は、鉄塔４００などの電気設備を取付対象として取り付けられる。図４においては、営巣防止器１００を取り付けた鉄塔４００を側方から見た状態を示している。図５においては、図４におけるＡ矢視図を示している。
【００４３】
鉄塔４００は、基礎部４１０と、鉄塔上部構造物４２０と、によって構成されている。具体的に、基礎部４１０は、たとえば、掘削穴内に据え付けられた基礎材や当該掘削穴内に充填されたコンクリートなどによって構成される。鉄塔上部構造物４２０は、主柱材（メインポスト）４２１、腕金部材（アーム）４２２、斜材（ブレーシング）４２３、水平材４２４などの各鉄塔部材を、ボルトなどを用いて固定することによって構成されている。
【００４４】
主柱材４２１、腕金部材４２２、斜材４２３などの鉄塔部材は、たとえば、主柱材４２１に溶接などの方法で設けられた主柱材プレート（図示を省略する）に、腕金部材４２２、斜材４２３、水平材４２４などの端部をボルトで固定することによって互いに連結されていてもよい。鉄塔４００は、さらに、対辺材、補助材、対角材５０１などの鉄塔部材を含んで構成されていてもよい。各鉄塔部材は、たとえば、重防食塗装により灰色に塗装されたアングル材によって実現することができる。
【００４５】
主柱材４２１は、基礎部４１０から起立して設けられる。主柱材４２１は、鉄塔４００を水平方向に切断した断面がなす四角形の頂点に位置するように設けられる。主柱材４２１は、腕金部材４２２を所定の高さにおいて支持する。腕金部材４２２は、主柱材４２１に固定され、腕金を構成する。腕金部材４２２は、主柱材４２１がなす四角形の外周側に向かって、水平方向に沿って突出している。腕金は、先端部分において、架空送電線を支持する。
【００４６】
斜材４２３は、水平方向および鉛直方向に対して傾斜させた状態で、隣接する主柱材４２１の間に架け渡されている。斜材４２３を設けることにより、鉄塔上部構造物４２０の強度を高めることができる。水平材４２４は、水平方向に沿って、隣接する主柱材４２１の間に架け渡されている。対辺材は、鉄塔４００を水平方向に切断した断面において隣り合う水平材４２４の中央どうしをつなぐように、当該隣り合う水平材４２４の間に架け渡されている。
【００４７】
対角材５０１は、主柱材４２１がなす四角形の対角に位置する主柱材４２１の間に架け渡されている。同一水平面内において主柱材４２１がなす四角形の対角線が交差する位置には、対角材５０１を支持する鋼板が設けられていてもよい。対角材５０１は、たとえば、腕金部材４２２と同じ高さに設けられている。
【００４８】
営巣は、鉄塔４００を構成するアングル材などの鉄塔部材どうしが重なる交点や、腕金を構成する鉄塔部材（アングル材）と当該腕金が支持する架空送電線との交点などのように、部材が集中していて営巣材が引っかかりやすくなっている場所におこなわれることが多い。営巣防止器１００は、このような交点、あるいは、当該交点の近傍に取り付けることが好ましい。
【００４９】
営巣防止器１００の取り付けに際しては、鉄塔部材における取付対象箇所にパンチ加工を施し、取付部１４０における雌ネジに螺合する雄ネジを備えたボルトを通すための孔を設ける。そして、この孔に雄ネジを備えたボルトを挿入し、鉄塔部材を間にして、取付部１４０が備える雌ネジにボルトの雄ネジを螺合させる。これによって、容易かつ確実に、営巣防止器１００を鉄塔４００に取り付けることができる。
【００５０】
鉄塔４００においては各鉄塔部材がボルトなどを用いて固定されているため、このような鉄塔部材どうしが重なる交点においては、ボルトの先端が露出している場合がある。営巣防止器１００は、このような露出したボルトの先端を利用して取り付けることもできる。これにより、営巣防止器１００を取り付けるための穴をあらたに設けるために鉄塔４００にパンチ加工を施すことなく、営巣防止器１００を容易に取り付けることができる。
【００５１】
（野鳥類の忌避の一例）
つぎに、この発明にかかる実施の形態の営巣防止器１００による野鳥類の忌避の一例について説明する。図６および図７は、営巣防止器１００による野鳥類の忌避の一例を示す説明図である。
【００５２】
上述したように、営巣防止器１００は、滑落誘導部１２０が上方に突出しており、かつ、円錐形状に広がっているため、交点に近づいた野鳥類６０１は滑落誘導部１２０に接触しやすくなっている。このため、営巣を目的として交点に近づいた野鳥類６０１は、交点または交点の近傍に設置してある営巣防止器１００に触れる。
【００５３】
野鳥類６０１が滑落誘導部１２０に接触すると、当該野鳥類６０１の体重や飛び降りる勢いによって加えられる荷重が滑落誘導部１２０を介して可動部１１０に伝達されて、可動部１１０が当該荷重に応じて支持部１３０内で転動する。具体的には、たとえば、可動部１１０は、図６において矢印６００で示す方向に転動し、図７に示す状態となる。これにより、野鳥類６０１の足場を不安定にし、バランスをとりにくくすることができる。
【００５４】
また、野鳥類６０１により加えられた荷重から解放されると、可動部１１０における球体１１１は、質量中心すなわち重心の位置を最下部に位置づけるように転動する。具体的には、たとえば、可動部１１０は、図７において矢印７００で示す方向に転動する。これにより、野鳥類６０１により加えられた荷重から解放されると、重力を利用して軸体２１１を鉛直方向に沿って起立させ、滑落誘導部１２０を再び営巣防止器１００における上部に位置づけることができる。
【００５５】
また、滑落誘導部１２０が、球体１１１から離間するほど径が小さくなる錐形状をなすため、営巣材などが滑落誘導部１２０に載置された場合は、滑落誘導部１２０上に営巣材をとどまらせず、自重により滑り落とすことができる。また、比較的重量のある営巣材が滑落誘導部１２０に載置された場合は、上記のように可動部１１０が転動するため、滑落誘導部１２０上にとどまらせることなく営巣材を滑り落とすことができる。
【００５６】
上述した実施の形態においては、鉄塔４００を取付対象とする例について説明したが、営巣防止器１００の取付対象は、鉄塔４００に限るものではない。具体的には、たとえば、電柱や配電線などの電気設備を取付対象としてもよい。電柱を取付対象とする場合、滑落誘導部１２０の最大外径寸法は、電柱の頂部を覆うことができる程度の寸法であることが好ましい。具体的には、たとえば、滑落誘導部１２０の最大外径寸法が、電柱の外径寸法と同程度あるいは当該電柱の外径寸法よりも大きいことが好ましい。
【００５７】
以上説明したように、この発明にかかる実施の形態の営巣防止器１００は、球体１１１と、一端が当該球体１１１に固定された棒形状をなす軸体２１１とを備えた可動部１１０と、可動部１１０における軸体２１１の他端に連結され、球体１１１から離間するほど径が小さくなる錐形状または半球形状の外形をなす滑落誘導部１２０と、可動部１１０における球体１１１の外表面に複数方向から接触することにより球体１１１を転動可能に支持する支持部１３０と、支持部１３０に連結され、雄ネジの螺合を受け付ける雌ネジを備えた取付部１４０と、を備え、可動部１１０が、滑落誘導部１２０が連結された状態における質量中心を、球体１１１における軸体２１１の固定位置とは反対側に備えることを特徴としている。
【００５８】
この発明にかかる実施の形態の営巣防止器１００によれば、取付部１４０を鉄塔４００などの取付対象に取り付けた状態の営巣防止器１００における滑落誘導部１２０に野鳥類６０１が留まろうとした場合、野鳥類６０１によって滑落誘導部１２０を介して加えられた荷重が軸体２１１を介して球体１１１に伝達される。可動部１１０における球体１１１は、支持部１３０によって転動可能に支持されているため、球体１１１は、伝達された荷重によって、支持部１３０によって支持された状態で転動する。支持部１３０は、取付部１４０によって位置が固定されているため、球体１１１が転動することにより当該球体１１１に連結されている軸体２１１が傾き、軸体２１１の傾きに連動して滑落誘導部１２０も変位する。
【００５９】
これにより、滑落誘導部１２０に留まろうとした野鳥類６０１の足場を不安定にし、バランスをとりにくくすることができるので、野鳥類６０１に、足場が不安定であり、営巣防止器１００の上および周辺が営巣に適していないことを学習させることができる。そして、これによって、営巣を確実に防止することができる。
【００６０】
また、この発明にかかる実施の形態の営巣防止器１００によれば、滑落誘導部１２０が連結された状態における可動部１１０の質量中心すなわち重心が、球体１１１における、軸体２１１の固定位置とは反対側であるため、野鳥類６０１により加えられた荷重から解放されると、可動部１１０における球体１１１は、質量中心すなわち重心の位置を最下部に位置づけるように転動する。
【００６１】
これにより、野鳥類６０１が滑落誘導部１２０に留まろうとして滑落誘導部１２０が変位した後、野鳥類６０１により加えられた荷重から解放されると、重力を利用して軸体２１１を鉛直方向に沿って起立させ、滑落誘導部１２０を再び営巣防止器１００における上部に位置づけることができる。そして、これによって、電力などを用いることなく簡易な構成によって、長期にわたって営巣を確実に防止することができる。
【００６２】
このように、給電や作業者によるメンテナンスをおこなうことなく、長期にわたって営巣を確実に防止することができるので、営巣の有無の確認のための巡視の頻度を減らすことができ、巡視作業や営巣された巣の撤去にかかる作業者の負担軽減を図ることができる。
【００６３】
また、この発明にかかる実施の形態の営巣防止器１００によれば、取付部１４０が雌ネジを備えているため、取付対象である鉄塔４００を構成するアングル材を間にして、雌ネジに雄ネジを螺合させることによって、容易かつ確実に、営巣防止器１００を鉄塔４００などの電気設備に取り付けることができる。
【００６４】
また、取付対象である鉄塔４００を構成するアングル材に固定された雄ネジの先端が露出している場合は、当該雄ネジの先端に取付部１４０の雌ネジを螺合させることによって、容易かつ確実に、営巣防止器１００を鉄塔４００などの電気設備に取り付けることができる。
【００６５】
また、この発明にかかる実施の形態の営巣防止器１００によれば、滑落誘導部１２０が、球体１１１から離間するほど径が小さくなる錐形状または半球形状の外形をなしているため、滑落誘導部１２０の上に営巣材が載せられたり、偶然飛来した枝葉などが載ったりしても、これらの営巣材や枝葉を滑り落とすことができ、営巣を困難にすることができる。これにより、営巣を確実に防止することができる。
【００６６】
このように、この発明にかかる実施の形態の営巣防止器１００によれば、鉄塔４００における鉄塔部材の交点などに飛来する野鳥類６０１の足場を継続して不安定な状態にすることにより、営巣防止器１００の上および周辺が営巣に適していないことを学習させ、営巣を確実に防止することができる。
【００６７】
また、この発明にかかる実施の形態の営巣防止器１００は、滑落誘導部１２０が、径が大きい方から小さい方に凹む凹部１２１を備え、当該凹部１２１における最深部において軸体２１１の先端と連結されていることを特徴としている。
【００６８】
この発明にかかる実施の形態の営巣防止器１００によれば、軸体２１１を滑落誘導部１２０の凹部１２１の内側に収容することができる。これにより、軸体２１１を滑落誘導部１２０によって覆い、軸体２１１に営巣材を絡みつかせにくくすることができ、営巣を確実に防止することができる。
【００６９】
また、軸体２１１を滑落誘導部１２０の凹部１２１の内側に収容することにより、営巣防止器１００の取り付けに要するスペースを小さくすることができる。これにより、複数の鉄塔部材が交差する場所など、営巣されやすい入り組んだ場所にも営巣防止器１００を取り付けて、営巣を確実に防止することができる。
【００７０】
また、滑落誘導部１２０が凹部１２１を備えたことにより、滑落誘導部１２０によって取付部１４０や支持部１３０を上方から覆うことができる。これにより、滑落誘導部１２０が傘のようにはたらき、取付部１４０や支持部１３０に雨や雪が直接かかることを回避することができ、取付部１４０における発錆や支持部１３０と球体１１１との間に異物が入り込んで球体１１１の転動に支障をきたしたりすることを抑制することができる。そして、これによって、営巣防止器１００の長寿命化を図り、長期にわたって営巣を確実に防止することができる。
【００７１】
また、この発明にかかる実施の形態の営巣防止器１００は、滑落誘導部１２０が、所定硬度以上の硬度を示す材料を用いて形成されていることを特徴としている。
【００７２】
この発明にかかる実施の形態の営巣防止器１００によれば、野鳥類６０１が滑落誘導部１２０に留まりにくくするとともに、滑落誘導部１２０に留まろうとした野鳥類６０１や滑落誘導部１２０の上に載せようとした営巣材と滑落誘導部１２０とが接触した場合にも、滑落誘導部１２０が破損することを防止することができる。これにより、長期にわたって営巣を確実に防止することができる。
【００７３】
また、この発明にかかる実施の形態の営巣防止器１００は、滑落誘導部１２０が、少なくとも外表面がマット状であることを特徴としている。
【００７４】
この発明にかかる実施の形態の営巣防止器１００によれば、太陽光など外光を受ける滑落誘導部１２０の外表面をマット状とすることにより、外光の反射を抑制することができる。これにより、滑落誘導部１２０からの反射光を火事と誤認することを回避することができる。そして、これにより、火事と誤認することによる、作業員の不要な出動を回避することができる。
【００７５】
また、この発明にかかる実施の形態の営巣防止器１００は、滑落誘導部１２０が、絶縁材料を用いて形成されていることを特徴としている。
【００７６】
この発明にかかる実施の形態の営巣防止器１００によれば、万一、営巣防止器１００が破損して滑落誘導部１２０が充電部に接触した場合にも、営巣防止器１００の破損に起因する短絡などの災害を防止することができる。
【００７７】
また、この発明にかかる実施の形態の営巣防止器１００は、球体１１１の少なくとも外表面が、絶縁材料によって覆われていることを特徴としている。
【００７８】
この発明にかかる実施の形態の営巣防止器１００によれば、万一、営巣防止器１００が破損して球体１１１が充電部に接触した場合にも、営巣防止器１００の破損に起因する短絡などの災害を防止することができる。
【産業上の利用可能性】
【００７９】
以上のように、この発明にかかる営巣防止器は、野鳥類の営巣を防止する営巣防止器に有用であり、特に、山間部など作業者の巡視による発見が難しい場所における野鳥類の営巣を防止する営巣防止器に適している。
【符号の説明】
【００８０】
１００  営巣防止器
１１０  可動部
１１１  球体
１２０  滑落誘導部
１２１  凹部
１３０  支持部
１３１  接触部材
１４０  取付部
２１１  軸体
４００  鉄塔
【図１】
2019170162.tif 000003
【図２】
2019170162.tif 000004
【図３】
2019170162.tif 000005
【図４】
2019170162.tif 000006
【図５】
2019170162.tif 000007
【図６】
2019170162.tif 000008
【図７】
2019170162.tif 000009